(57)【要約】  【課題】  比較的簡易な構成により適用される機器類の使い勝手や高級感を向上する。  【解決手段】一対のスライダー３，４、ロック部材３０，４０、係合部２４，２５及び付勢手段５を有したユニット本体１と、ベース８及び可動体９の他方に設けられて、スライダー３，４のロック部材を係合部２４，２５に係止することで当該スライダーをケースに拘束するケース拘束位置と、前記係止を解除して当該スライダーをケースに対しスライド可能にするケース拘束解除位置とに切り換える一対のストライカー１０，１５とからなる。一対のストライカーのうち、一方のストライカーは、一方のスライド位置と他方のスライド位置との間に配置され、可動体を一方のスライド位置に向かってスライドさせると共に、他方のストライカーは、一方のストライカーと比較して、他方のスライド位置寄りの位置に配置され、可動体を当該他方のスライド位置に向かってスライドさせる。  【選択図】    図１
2006026331.tif 000002
【特許請求の範囲】
【請求項１】
ベースに対し可動体を一方のスライド位置から他方のスライド位置へ一方向のスライド操作及び他方のスライド位置から一方のスライド位置へ他方向のスライド操作を助けるスライド補助装置において、
前記ベース及び前記可動体の一方に設けられて、ケース内に配置されて前記可動体と同方向へスライド可能な一対のスライダー、前記各スライダーにそれぞれ移動変位可能に保持されて先端をケース外に突出しているロック部材、前記ケースに設けられて前記各スライダーのロック部材と係脱する係合部、及び前記両スライダーの間に設けられてスライダーの一方が他方から離間する方向へスライドされると付勢力を蓄積可能となる付勢手段を有したユニット本体と、
前記ベース及び前記可動体の他方に設けられて、前記スライダーのロック部材を前記係合部に係止することで当該スライダーを前記ケースに拘束するケース拘束位置と、前記係止を解除して当該スライダーを前記ケースに対しスライド可能にするケース拘束解除位置とに切り換える一対のストライカーとからなり、
前記一対のストライカーのうち、一方のストライカーは、
前記一方のスライド位置と前記他方のスライド位置との間に配置され、前記可動体を前記一方のスライド位置に向かってスライドさせると共に、
他方のストライカーは、
前記一方のストライカーと比較して、前記他方のスライド位置寄りの位置に配置され、前記可動体を当該他方のスライド位置に向かってスライドさせることを特徴とするスライド補助装置。
【請求項２】
請求項１に記載のスライド補助装置であって、
前記可動体は、前後方向にスライドし、
前記一方のスライド位置が、引込位置で、
前記他方のスライド位置が、引出位置であることを特徴とするスライド補助装置。
【請求項３】
請求項１に記載のスライド補助装置であって、
前記可動体は、左右方向にスライドし、
前記一方のスライド位置が、開位置で、
前記他方のスライド位置が、閉位置であることを特徴とするスライド補助装置。
【請求項４】
請求項１に記載のスライド補助装置であって、
前記可動体は、上下方向にスライドし、
前記一方のスライド位置が、上昇位置で、
前記他方のスライド位置が、下降であることを特徴とするスライド補助装置。
【請求項５】
請求項２に記載のスライド補助装置であって、
前記ベースは、
家具の収納部であり、
前記可動体は、
前記収納部に引き出し可能に取り付けられた引出しであることを特徴とするスライド補助装置。
【請求項６】
請求項２に記載のスライド補助装置であって、
前記ベースは、
家具であり、
前記可動体は、
前記収納部に引き出し可能に取り付けられたスライドテーブルであることを特徴とするスライド補助装置。
【請求項７】
請求項５又は請求項６に記載のスライド補助装置であって、
前記家具は、
システムキッチンであることを特徴とするスライド補助装置。
【請求項８】
請求項５又は請求項６に記載のスライド補助装置であって、
前記家具は、
パソコンデスクであることを特徴とするスライド補助装置。
【請求項９】
請求項５又は請求項６に記載のスライド補助装置であって、
前記家具は、
タンスであることを特徴とするスライド補助装置。
【請求項１０】
請求項３に記載のスライド補助装置であって、
前記可動体は、
建物の雨戸であることを特徴とするスライド補助装置。
【請求項１１】
請求項３又は請求項４に記載のスライド補助装置であって、
前記可動体は、
建物のシャッターであることを特徴とするスライド補助装置。
【請求項１２】
請求項３又は請求項４に記載のスライド補助装置であって、
前記可動体は、
建物の窓であることを特徴とするスライド補助装置。
【請求項１３】
請求項３に記載のスライド補助装置であって、
前記可動体は、
クロゼットの折り戸であることを特徴とするスライド補助装置。
【請求項１４】
請求項３に記載のスライド補助装置であって、
前記可動体は、
建物（内外）の引き戸であることを特徴とするスライド補助装置。
【請求項１５】
請求項３に記載のスライド補助装置であって、
前記可動体は、
浴室扉であることを特徴とするスライド補助装置。
【請求項１６】
請求項３に記載のスライド補助装置であって、
前記可動体は、
カーテンであることを特徴とするスライド補助装置。
【請求項１７】
請求項４に記載のスライド補助装置であって、
前記可動体は、
ブラインドであることを特徴とするスライド補助装置。
【請求項１８】
請求項３に記載のスライド補助装置であって、
前記可動体は、
可動式間仕切りであることを特徴とするスライド補助装置。
【請求項１９】
請求項２に記載のスライド補助装置であって、
前記可動体は、
冷蔵庫の引出しであることを特徴とするスライド補助装置。
【請求項２０】
請求項３又は請求項４に記載のスライド補助装置であって、
前記可動体は、
冷蔵庫の中ケースのスライド扉であることを特徴とするスライド補助装置。
【請求項２１】
請求項２に記載のスライド補助装置であって、
前記可動体は、
冷蔵庫の中ケースの引出しであることを特徴とするスライド補助装置。
【請求項２２】
請求項２に記載のスライド補助装置であって、
前記可動体は、
情報家電の給紙引出しであることを特徴とするスライド補助装置。
【請求項２３】
請求項２に記載のスライド補助装置であって、
前記可動体は、
事務机の引出しであることを特徴とするスライド補助装置。
【請求項２４】
請求項３又は請求項４に記載のスライド補助装置であって、
前記可動体は、
ムービング・ラックであることを特徴とするスライド補助装置。
【請求項２５】
請求項２に記載のスライド補助装置であって、
前記可動体は、
事務用のキャビネットの引出しであることを特徴とするスライド補助装置。
【請求項２６】
請求項３に記載のスライド補助装置であって、
前記可動体は、
自動車のスライドドアであることを特徴とするスライド補助装置。
【請求項２７】
請求項２に記載のスライド補助装置であって、
前記可動体は、
自動車のスライド式の灰皿であることを特徴とするスライド補助装置。
【請求項２８】
請求項２に記載のスライド補助装置であって、
前記可動体は、
自動車のスライド式のカップホルダーであることを特徴とするスライド補助装置。
【請求項２９】
請求項２に記載のスライド補助装置であって、
前記可動体は、
自動車のコンソールのスライド式のリッドであることを特徴とするスライド補助装置。
【請求項３０】
請求項２又は請求項３に記載のスライド補助装置であって、
前記可動体は、
陳列用冷蔵庫のスライド扉であることを特徴とするスライド補助装置。
【請求項３１】
請求項２に記載のスライド補助装置であって、
前記可動体は、
レジスターの引出しであることを特徴とするスライド補助装置。
【発明の詳細な説明】
【技術分野】
【０００１】
本発明は、引出しや蓋体等のような可動体をベースに対し引込位置と引出位置とにスライド切り換える操作を助けるスライド補助装置に関する。
【背景技術】
【０００２】
可動体をベースに対し引込位置と引出位置とにスライド切り換える構造では、特許文献１に例示されるように、全ての切換操作を手動により行うと疲れたり高級感に欠けるため、可動体を引出位置又は引込位置の何れかの方向へ付勢しておき、該付勢された方向へ自動的にスライドされるよう処理される。
図１４は特許文献１の引出し用装置を示し、（ａ）は図示しない可動体の引込位置、（ｂ）は引出位置での状態図である。符号５０はベースの側壁、符号５５は可動体側の駆動ピン、符号６０はベース側壁と可動体との間に配置された傾斜部分、符号６５はばね部材である。ベース側壁５０には案内トラック５１が設けられている。該案内トラック５１は、前後方向へ水平に延びる真っ直ぐな部分５１ａと、前方（図の右側）の弓形部分５１ｂとで構成されている。傾斜部分６０は、上解放したスロット６１及びスロット６１の前側から延びている斜めの側壁６２を有し、ボルト６３，６３を案内トラック５１に嵌合している。ばね部材６５は、ベース側に一端を係止し、他端を傾斜部分６０に係止した状態で、可動体が引込位置から引出位置方向へスライドされる過程で付勢力を蓄積する。そして、この構造では、可動体がベース側に対し駆動ピン５５をスロット６１に嵌合した状態で組み込まれる。可動体が引込位置から引出位置へスライドされるときは、傾斜部分６０が案内トラック５１の真っ直ぐな部分５１ａに沿って動かされた後、弓形部分５１ｂで前方へ傾斜され、かつ駆動ピン５５がスロット６１から斜めの側壁６２に動く。これにより、可動体は、ばね部材６５の付勢力に抗して引出位置に係止つまりロックされると共に、後方へ押されることで駆動ピン５５を斜めの壁部６２からスロット６１に戻した後、ばね部材６５に蓄積された付勢力で引き込まれる。
【特許文献１】特公平５−０２３７６３号公報
【発明の開示】
【発明が解決しようとする課題】
【０００３】
上記した従来構造では、例えば、可動体が引出位置から引込位置へはほぼ全て自動でスライドされるが、その分だけ引込位置から引出位置へは強い引き操作力が必要となり使い勝手が悪くなる。また、可動体をばね部材６５の付勢力に抗して係止するロック機構として、駆動ピン５５を傾斜部材６０の前傾斜によりスロット６１から抜け出るようにし、斜めの側壁６２に係合するため、係合力が弱く、振動等によってロック解除される虞がある。しかも、従来構造では、可動体がベースから一旦取り外されると、傾斜部分６０が駆動ピン５５から解放されて同（ａ）に示されるようにスロット６１を上向きにした状態でばね部材６５の付勢力でベース内に引き込まれるため、可動体をベースに再び組み付けることが難しく、可動体をベース側へ強制的に押し込むと駆動ピン５５などが損傷し易くなる。また、従来構造では、可動体を引込位置方向へスライドする場合と、引出位置方向へスライドする場合との両方の操作を補助する機能を有しておらず作動特性が制約されている。
【０００４】
本発明の目的は、以上のような課題を解消して、例えば、比較的簡易な構成により適用される装置の使い勝手や高級感を向上することにある。
【課題を解決するための手段】
【０００５】
上記目的を達成するため本発明は、ベースに対し可動体を一方のスライド位置（例えば引出位置）から他方のスライド位置（例えば引込位置）へ一方向のスライド操作（例えば引き込む操作）及び他方のスライド位置（例えば引込位置）から一方のスライド位置（例えば引出位置）へ他方向のスライド操作（例えば引き出す操作）を助けるスライド補助装置において、前記ベース及び前記可動体の一方に設けられて、ケース内に配置されて前記可動体と同方向へスライド可能な一対のスライダーと、前記各スライダーにそれぞれ移動変位可能に保持されて先端をケース外に突出しているロック部材と、前記ケースに設けられて前記各スライダーのロック部材と係脱する係合部と、前記両スライダーの間に設けられてスライダーの一方が他方から離間する方向へスライドされると付勢力を蓄積可能となる付勢手段とを有したユニット本体と、前記ベース及び前記可動体の他方に設けられて、前記スライダーのロック部材を前記係合部に係止することで当該スライダーを前記ケースに拘束するケース拘束位置と、前記係止を解除して当該スライダーを前記ケースに対しスライド可能にするケース拘束解除位置とに切り換える一対のストライカーとからなり、前記一対のストライカーのうち、一方のストライカーは、前記一方のスライド位置（例えば引出位置）と前記他方のスライド位置（例えば引込位置）との間に配置され、前記可動体を前記一方のスライド位置（例えば引出位置）に向かってスライドさせると共に、他方のストライカーは、前記一方のストライカーと比較して、前記他方のスライド位置（例えば引込位置）寄りの位置に配置され、前記可動体を当該他方のスライド位置（例えば引込位置）に向かってスライドさせることを特徴とする。
（要部説明）
以上の本発明装置では、特に、可動体を他方のスライド位置（例えば引込位置）から途中位置まで一方のスライド位置（例えば引出位置）に向かってスライドさせたとき、及び可動体を一方のスライド位置（例えば引出位置）から途中位置まで他方のスライド位置（例えば引込位置）に向かってスライドさせたときに、前記対応するスライダー（つまり、このスライダーはケース拘束解除位置、もう一方のスライダーがケース拘束位置にある）がストライカーを介してケース拘束解除位置からケース拘束位置へ切り換えられる（付勢手段はこの過程で付勢力を蓄積する）ことで、それまでに付勢手段に蓄積された付勢力を保持すると共に、前記対応すスライダーがケース拘束位置からケース拘束解除位置へ切り換えられることにより可動体を前記付勢手段に蓄積された付勢力により途中位置から一方のスライド位置（例えば引出位置）や他方のスライド位置（例えば引込位置）へスライドするようにしたものである。換言すると、本発明の要部構造は、ベース及び可動体の一方にユニット本体を設け、他方にロック部材を可動体のスライド方向と略直交する方向へ動かして係合部に係脱するストライカーを設ける点、両スライダーがケース拘束位置とケース拘束解除位置とにあるとき付勢手段の付勢力を解放したり付勢力を蓄積可能となり、両スライダーが共にケース拘束位置にあるとき付勢手段に蓄積された付勢力を保持（維持）する点にある。
【０００６】
なお、本明細書において、「ケース拘束位置」は、図面を参照すると、対応するスライダー３又は４がケース２に対し一体的に連結されて、単独でのスライドが不能になる意味である（これはスライダー３又は４が可動体９と一体的に連結ないしは作動連結されたロック位置として捉えることも可能である）。これに対し、「ケース拘束解除位置」は、図面を参照すると、対応するスライダー３又は４がケース２に対し非連結となり、単独でスライド可能になる意味である（これはスライダー３又は４が可動体９と非連結ないしは作動連結を解放したロック解除位置として捉えることも可能である）。また、本発明の各ロック部材と各ストライカー（なお、形態例の場合は異なるもので構成した）はそれぞれ同じ形状のもので構成でき、主部材の兼用化により製造費等を低減可能にする。
【発明の効果】
【０００７】
本発明のスライド補助装置は次のような利点を有している。
請求項１の発明では、ユニット本体及びストライカーにより、可動体を他方のスライド位置（例えば引込位置）から一方のスライド位置（例えば引出位置）へ切り換える過程、及び可動体を一方のスライド位置（例えば引出位置）から他方のスライド位置（例えば引込位置）へ切り換える過程、つまり各途中位置から付勢手段の付勢力により自動的に最終の一方のスライド位置（例えば引出位置）と最終の他方のスライド位置（例えば引込位置）へそれぞれスライドでき、その点から使い勝手を向上できる。具体的には、単一のユニット構成により両方向のスライド操作（引き込み操作及び引き出し操作）の両補助機能を達成できるため、組込性及びメンテナンス性に優れ、設置スペース上の制約を受け難い点などで有利となる。
【発明を実施するための最良の形態】
【０００８】
本発明の最良な形態を図面を参照しながら説明する。図１と図２は本発明形態の装置作動を模式的に示し、図１は付勢力を蓄積した状態、図２（ａ），（ｂ）は付勢力を解放した状態である。図３は前記装置を構成している主部材同士の関係を示す構成図である。図４（ａ），（ｂ）は装置のケース本体をダンパーと共に示す上面図と側面図、図５は前記ケース本体に取り付けられるカバーを示す上面図である。図６は前記装置を構成している一方のスライダーであり、（ａ）はロック部材と共に示す上面図、（ｂ）は側面図、（ｃ）は下面図である。図７は他方のスライダーであり、（ａ）は上面図、（ｂ）は側面図、（ｃ）はロック部材と共に示す下面図である。図８及び図９はスライダーをケースに拘束したり解放する原理図である。図１０及び図１１は装置を使用したときの基本作動を示す図、図１２は外した可動体をベースに組み付けるときの原理図である。なお、図面中、特に図１と図２及び図８〜図１３は作動を分かり易くするため一部を省略している。以下の説明では、スライド補助装置の用途例を概説した後、装置構造、作動の順に詳述する。
【０００９】
図１５〜１６は、第２実施例を示し、図１５は窓の正面図、図１６は図１５の窓の断面図をそれぞれ示すものである。
図１７〜１８は、第３実施例を示し、図１７は折り戸の断面図、図１８は図１７の折り戸を閉じた状態の断面図をそれぞれ示すものである。
図１９は、第４実施例を示し、同図はカーテンの正面図を示すものである。
（用途例）
本発明のスライド補助装置は、ユニット本体１と、ストライカー１０，１５とを組として構成され、機器類側のベースに対しトレーやリッド等の可動体を引込位置と引出位置とにスライド切り換える操作を補助するものである。図１３は具体的なベース及び可動体の一例を示している。符号８は機器類側のベースである。該ベース８は、前面開口した空間部８ａを形成している複写機やシステムキッチン等の対応部を想定している。符号９は空間部８ａに対応した可動体である。該可動体９は、前壁に指等を掛けるスリット９ａ等を有した引出部材であり、空間部８ａの内側面に取り付けられた案内レール８ｂに沿って前後にスライドされる。そして、この形態では、可動体９の底面にあって後両側にユニット本体１がそれぞれ付設されていると共に、各ユニット本体１と対応して案内レール９側にストライカー１０，１５が付設されている。但し、原理的には、引出・引込ユニット１をベース８に付設し、ストライカー１０，１５を可動体９に付設することも可能である。使用組数は、２セット（ユニット本体１を２個と、ストライカー１０，１５を各２個）用いた例であるが、例えば、可動体９が軽かったり小さくなれば１セットでも差し支えない。なお、ベース８と可動体９との間には、案内レール８ｂに限られず、案内用の他のレール構造が採用されることもある。
（構造）
ユニット本体１は、ケース２内に配置されて可動体９と同方向へそれぞれスライド可能な２つのスライダー３，４と、両スライダー３，４の間に介在されてスライダー同士が相対的に離間することにより付勢力を蓄積可能となるばね部材５と、可動体９のスライド速度をスライダー３，４を介して制動するダンパー６と、各スライダー３，４に組み込まれて可動体９のスライド方向と略直交する方向へ移動変位可能なロック部材３０，４０とで構成されている。細部は以下の通りである。
【００１０】
ケース２は、図３〜図５のごとくケース本体２０及びカバー２８からなり、可動体９のスライド方向に長くかつ偏平な矩形容器状となっている。ここで、ケース本体２０は、枠状の縦壁２１で内側を区画し、又、長手方向に対向している縦壁のうち、片側が前後略中間より後端までが切り欠かれて段差２２となっている。該段差２２は、ケース２として見たときにケース側面に開口した長溝となる。縦壁２１で区画されている内底面には、幅方向の略中間に位置して後側（図４の左側）から前後略中間まで延びている案内リブ２３と、両側付近に位置して後側から前側（図４の右側）の少し手前まで延びている支持リブ２６ａ，２６ｂと、前後略中間で支持リブ２６ａ，２６ｂの間に位置して凹状となったダンパー配置用窪み部２７とが設けられている。案内リブ２３には係合部２４，２５が前後部分に設けられている。各係合部２４，２５は、案内リブ２３のうち段差２２と対向した側を凹状にした形状である。係合部２４にはロック部材３０が係脱し、係合部２５にはロック部材４０が係脱する。窪み部２７は、ダンパー収容部を形成し、内周面が段部となっていて、後述するダンパー６（のダンパー本体６ａ）を一方向にだけ回転可能にする。窪み部２７の形状は、例えば、図示のものを略９０度回転させた様な形状に設計されることもある。以上のケース本体２０は、スライダー３，４やばね部材５を内部に配置した後、カバー２８で閉じられる。この場合、カバー２８は、縦壁２１に対応した縦壁２９と、段差２２に対応した段差２９ａを有し、ケース本体２０に適宜な係合手段などにより一体化される。以上のケース２は、例えば、ケース本体２０及びカバー２８を薄肉ヒンジ部を介して一体成形されることもある。
【００１１】
ここで、ダンパー６は、外周に複数の歯（突起でもよい）を形成しかつ内部に作動油を充填しているダンパー本体６ａと、ダンパー本体６ａに軸等を介して回動自在に支持されて前記作動油の抵抗を受けているギア６ｂとを少なくとも有し、例えば、時計回りに回動するときは空転（ダンパー本体６ａが窪み部２７内で空転）し、逆時計回りに回動するときにはダンパー本体６ａが窪み部２７の内周形状にて回転不能となりギア６ｂを介し相手側部材（スライダー）を制動する。換言すると、この構造は、ダンパー本体６ａが回転するときは制動作用を付与できず、回転不能になった状態でギア６ｂを介して制動可能状態となる。そして、以上のダンパー６は、後述する各スライダー３，４との関係において、ギア６ｂが各スライダー３，４のラック３８，４８同士の間に配置されるよう付設されると共に、通常は両ラック３８，４８のうち、片側のラックと噛み合っている。
【００１２】
各スライダー３，４は、ケース本体２０内に並行に配置されて、両者が相対的に接近したり離間する関係（図１中の上下方向に移動可能）となっている。ここで、スライダー３は、長片部３１の一端側に設けられて幅方向に貫通した孔３２ａを区画している保持部３２と、他端側に設けられた円板部３３と、長片部３１の上面長手方向に設けられた溝状のばね配置部３４及びスライド用リブ３６ａ，３６ｂと、ばね配置部３４内に設けられた掛け止め用軸３５と、円板部３３に軸３３ａ等を介して回転自在に取り付けられたばね案内用の滑車３７と、長片部３１の下面長手方向に段差を形成し、該段差に沿って設けられたラック３８と、長片部３１の下面長手方向に設けられたスライド用リブ３６ｃなどを有している。そして、スライダー３は、保持部３２に対しロック部材３０を孔３２ａに差し込んで移動可能に支持した状態で、ケース本体２０の内部にあって、案内リブ２３と縦壁２１のうち段差２２側の縦壁部分との間に配置されて、保持部３２が図１や図２（ａ）のごとく段差２２の前側端面に当接した前位置と、図２（ｂ）のごとく段差２２の後側端面にスライダー４の保持部４３を介して当接した後位置との距離だけ自在にスライドされる。また、前記ロック部材３０は、保持部３２の外に配置される先端爪３０ａと、孔３２ａに差し込まれる基部３０ｂとからなる。基部３０ｂは、複数のスリット３０ｃを介して弾性が幅方向に付与されており、孔３２ａに対し移動変位可能に差し込まれる。そして、以上のスライダー３は、図１や図２（ａ）のごとくロック部材３０が孔３２ａに深く入り込んで基部３０ｂの後端を案内リブ２３の係合部２４に係止したケース拘束位置と、図２（ｂ）のごとくロック部材３０が孔３２ａから突出する量を増大して係合部２４から外れたケース拘束解除位置とに切り換えられる。
【００１３】
これに対し、スライダー４は、長片部４１の一端側に薄板状屈曲部４２を介し設けられて幅方向に貫通した孔４３ａを区画している保持部４３と、長片部４１の上面長手方向に設けられた溝状のばね配置部４４及びスライド用リブ４６ａ，４６ｂと、ばね配置部４４内に設けられた掛け止め用軸４５と、長片部４１の下面長手方向に段差を形成し、該段差に沿って設けられたラック４８と、長片部４１の下面長手方向に設けられたスライド用リブ４６ｃと、屈曲部４２の下面側に設けられて孔４３ａの対応内面と連続しているガイド溝４２ａなどを有している。そして、スライダー４は、保持部４３に対しロック部材４０を孔４３ａに差し込んで移動可能に支持した状態で、ケース本体２０の内部にあって、案内リブ２３と縦壁２１の対応する縦壁部分との間に配置されて、保持部４３が図１や図２（ｂ）のごとく段差２２の後側端面に当接した後位置と、図２（ａ）のごとく段差２２の前側端面にスライダー３の保持部３２を介して当接した前位置との距離だけ自在にスライドされる。また、前記ロック部材４０は、保持部４３の外に配置される先端爪４０ａと、孔４３ａに差し込まれる基部４０ｂとからなる。基部４０ｂは、複数のスリット４０ｃを介して弾性が幅方向に付与されており、孔４３ａに対し移動変位可能に差し込まれる。そして、以上のスライダー４は、図１と図２（ｂ）のごとくロック部材４０が孔４３ａに深く入り込んで基部４０ｂの後端を案内リブ２３の係合部２５に係止したケース拘束位置と、図２（ａ）のごとくロック部材４０が孔４３ａから突出する量を増大して係合部２５から外れたケース拘束解除位置とに切り換えられる。
【００１４】
ばね部材５は、コイル形のばね材が用いられており、一端がスライダー３側の軸３５に係止され、途中部分がばね配置部３４から滑車３７を介してばね配置部４４に配置され、他端がスライダー４側の軸４５に係止されている。そして、ばね部材５は、図１のごとく両スライダー３，４が相対的に離間するようスライドされると付勢力を蓄えて、両スライダー３，４がケース拘束位置でその付勢力を保持し、図２のごとくスライダー３，４が接近するようスライドされると付勢力を解放する。付勢力を解放するときは、スライダー３，４の一方がケース拘束位置、他方がケース拘束解除位置に切り換えられる。以上のようなばね部材５は、全長が長くなっているため安定したばね荷重を得ることができ、両スライダー３，４の間に滑車３７を介することによりばね動作時のフリクッションを解消できると共に効率的なレイアウトを実現できる。しかも、スプールに巻回されているばね板をハウジングから引き出すコンストンばねないしは定圧ばねよりも簡易でコスト的にも有利となる。
【００１５】
ストライカー１０は、スライダー３側のロック部材３０をケース拘束位置とケース拘束解除位置とに切り換えると共に、図２（ｂ）や図１０（ｄ）のごとくスライダー３のケース拘束解除位置で可動体９を引き出したときにベース８から不用意に抜け出ないよう規制する部材である。形状的には、図１や図１３に示されるごとく、ベース８側への取付部１１と、取付部１１の一側面に沿ってかつ一段高くなっているガイド部１２と、ガイド部１２の前側面に設けられた第１作動部１３と、ガイド部１２の後端方向に延設されて上下方向に揺動可能な第２作動部１４とを有している。第１作動部１３は、ロック部材３０の先端爪３０ａを受け入れ可能な大きさで、かつ、前後に対向したカム面１３ａ，１３ｂを有している。カム面１３ａは後側に位置している。カム面１３ｂは、ガイド部１２から突設された弾性変形可能な舌片部１３ｃの内面にて形成されている。第２作動部１４は、ガイド部１２に対し薄肉部１４ａを介して延設され、かつ、先端側がガイド部１２より少し高くなっている。該先端には、先に行く程、大きく欠肉されたテーパ状の傾斜部１４ｂが設けられている。なお、図８〜図１１はストライカー１０を下側より見た状態で示し、図１２はストライカー１０を上側より見た状態で示している。
【００１６】
これに対し、ストライカー１５は、スライダー４側のロック部材４０をケース拘束位置とケース拘束解除位置とに切り換えると共に、図２（ａ）や図１１（ｄ）のごとくスライダー４のケース拘束解除位置で可動体９をベース８の空間部８ａに過剰に引き込まれないよう規制する部材である。形状的には、図１や図１３に示されるごとくベース８側への取付部１６と、取付部１６の一側面に沿ってかつ一段高くなっているガイド部１７と、ガイド部１７の外側面に設けられた作動部１８とを有している。作動部１８は、ロック部材４０の先端爪４０ａを受け入れ可能な大きさで、かつ、前後に対向したカム面１８ａ，１８ｂを有している。カム面１８ａは前側に位置している。カム面１８ｂは、弾性変形可能な舌片部１８ｃの内面にて形成され、ガイド部１７の外側面に突出している。なお、本発明装置は、ストライカー１０，１５を同じ形状、つまり上述したスイライカー１０の形状かストライカー１５の形状にしても正常に作動するが、この形態のごとく専用品とすることで後述する作動４を実現できる。
（作動１）
以上のスライド補助装置の基本作動として、図１と図２はばね部材５が付勢力を蓄積した状態、スライド用として解放した状態を示している。ここで、図１の両スライダー３，４は、各ロック部材３０，４０を対応した係合部２４，２５に係止したケース拘束位置にあり、両者の間が最大まで離間されている。この状態では、ばね部材５が両スライダー３，４の離間距離に比例した付勢力を蓄積している。図２はその蓄積された付勢力が解放された２つの状態を示している。つまり、図２（ａ）は、ユニット本体１（可動体９）が図１の左側へ移動されてスライダー４側のロック部材４０をストライカー１５の作動により係合部２５から係止解除し、かつ、ばね部材５の付勢力よって左側へ自動的に移動された状態である。図２（ｂ）は、ユニット本体１（可動体９）が図１の右側へ移動されてスライダー３側のロック部材３０をストライカー１０の作動により係合部２４から係止解除し、かつ、ばね部材５の付勢力よって右側へ自動的に移動された状態である。この構造では、このようにしてユニット本体１（可動体９）がばね部材５の付勢力で自動的に移動される。移動過程では、ユニット本体１（可動体９）がダンパー６により制動されて緩やかに動かされる。
（作動２）
図８と図９はスライド補助装置の基本作動として、上述したロック部材が係止と係止解除とに切り換えられるときの動きを示している。
・図８はロック部材３０が係止解除されるとき、つまりケース２（ユニット本体１や可動体９と同じ）から不図示のスライダー３０を解放するときの動きを示している。図８（ａ）はケース２が図１の右へ移動されて、ロック部材３０（の先端爪３０ａ）が第１作動部１３のカム面１３ｂに当接した状態である。図８（ｂ）はユニット本体１（可動体９）が更に右側へ移動されることで、その移動力がロック部材３０を押し上げる力に変換、つまりロック部材３０がカム面１３ｂから受ける先端爪３０ａの応力により押し上げられて係合部２４から係止解除された状態である。図８（ｃ）はロック部材３０が係合部２４から係止解除されることで、スライダー３がケース拘束解除位置となる結果、ケース２（可動体９）がそれまでに蓄えられたばね部材５の付勢力によりストライカー１０に対し前方へ移動された状態である。
・これに対し、図９はロック部材３０が再び係止されるとき、つまりケース２（ユニット本体１や可動体９と同じ）に不図示のスライダー３０を拘束するときの動きを示している。図９（ａ）はケース２が図８（ｃ）の状態から左側へ移動された直前の状態である。図９（ｂ）はケース２（可動体９）が前記したばね部材５の付勢力を蓄積しながら更に左側へ移動されることで、その移動力がロック部材３０を押し下げる力に変換、つまりロック部材３０がカム面１３ａから受ける応力により押し下げられようとしている状態である。図８（ｃ）はケース２（可動体９）が更に左側へ移動されることで、ロック部材３０が押し下げられて係合部２４に係止され（不図示のスライダー３がケース拘束位置となる）、それまでに蓄積されたばね部材５の付勢力を保持している状態である。なお、以上の例はロック部材３０側であるが、ロック部材４０も同様な動きで図１と図２（ａ）とに切り換えられる。
（作動３）
図１０と図１１はスライド補助装置の用途例として可動体９を機器類側のベース８の空間部８ａから引き出したり、引き込むときの作動を示している。なお、図１０と図１１は符号を主部材だけに付したが、細部は対応する図１〜図７を参照されたい。
・図１０（ａ）は、可動体９が図１１（ｄ）や図２（ａ）のごとくベース側空間部８ａに収まっている引込位置から手動で引き出している引出途中の状態である。この過程では、ユニット本体１のスライダー３，４のうち、一方スライダー３のロック部材３０が係止状態、スライダー４のロック部材４０が図２（ａ）の係止解除状態から先端爪４０ａを作動部１８のカム面１８ａに当接しながら係合部２５に係止される。つまり、可動体９は、ダンパー６を空転しながら引き出されると共に、スライダー３がケース拘束位置にあるため、ばね部材５が可動体９のスライドに伴って付勢力を次第に増大し蓄積する。そして、蓄積した付勢力は、ロック部材４０が係止状態に切り換えられたときに図１と同様に保持される。
・図１０（ｂ）は、そのようにして蓄積した付勢力を保持した（つまりばね部材５の中立）状態で、可動体９が更に引き出されている状態を示している。
・図１０（ｃ）は、可動体９が更に引き出されて、スライダー３のロック部材３０がストライカー１０により係止解除に切り換えられた直後の状態を示している。この過程は、図８と同様であり、ロック部材３０が先端爪３０ａをストライカー１０の第１作動部１３のカム面１３ｂに当接し、該カム面１３ｂから受ける反力ないしはカム作用により先端爪３０ａを介し押し上げられ、その結果、係合部２４から係止解除される。
・図１０（ｄ）は、そのようにしてロック部材３０が係止解除、つまりスライダー３がケース拘束解除位置に切り換えられることにより、図２（ｂ）と同様に可動体９がばね部材５の付勢力により自動的に最終の引出位置までスライドされた状態である。この構造では、（ｃ）〜（ｄ）に至る間、ダンパー６がスライダー４のラック４８とギア６ｂとの噛み合いを介して可動体９のスライド速度を制動する。この結果、可動体９は、途中位置から最終の引出位置まだ緩やかな速度でスライドされることになる。
・図１１（ａ）は、可動体９を図１０（ｄ）の引出位置から途中位置まで引き込め操作したときの状態を示している。この引き込め過程では、ロック部材４０が係止位置（スライダー４がケース拘束位置）であり、ロック部材３０が係止解除位置（スライダー３がケース拘束解除位置）となっているため、ばね部材５が可動体９のスライドに伴って付勢力を次第に増大するよう蓄積する。そして、ロック部材３０が図９（ｂ），（ｃ）と同様に係合部２４と対向したときに、第１作動部１３のカム面１３ａから受ける先端爪３０ａの応力により押し下げられて係合部２４に係止され（スライダー３がケース拘束位置となる）、蓄積されたばね部材５の付勢力を保持する。
・図１１（ｂ）は、そのようにして蓄積した付勢力を保持した（つまりばね部材５の中立）状態で、可動体９が更に引き込められている状態を示している。
・図１１（ｃ）は、可動体９が途中位置まで引き込め操作されて、スライダー４のロック部材４０がストライカー１５の作動部１８により係止解除に切り換えられた直前の状態を示している。すなわち、この引き込め過程において、ロック部材４０は、図１の左側に示されるごとく先端爪４０ａが作動部１８のカム面１８ｂに当接し、該カム面１８ｂから受ける応力ないしはカム作用によりロック部材４０を同図の上側へ押し上げ、それにより係合部２５から係止解除される。
・図１１（ｄ）は、そのようにして、ロック部材４０が係止解除（スライダー４がケース拘束解除位置）に切り換えられることにより、可動体９がばね部材５の付勢力により自動的に最終の引込位置までスライドされた状態を示している。なお、この構造では、（ｃ）〜（ｄ）に至る間、ダンパー６がラック４８とギア６ｂとの噛み合いを介して可動体９のスライド速度を制動する。この結果、可動体９は、途中位置から最終の引込位置まで緩やかな速度でスライドされることになる。
（作動４）
以上のスライド補助装置は、可動体９が清掃やメンテナンス等を行うため機器類側ベース８の空間部８ａから外されることもあり、そのように外されて再びベース空間部８ａにセットする場合、ロック部材が何かに当たって動いても確実に正常駆動に復帰されるよう工夫されている。なお、可動体９は、通常、引出位置である図２（ｂ）や図１０（ｄ）の状態（スライダー３がケース拘束解除位置、スライダー４がケース拘束位置）から、例えば、可動体９を上方へ持ち上げたり傾けると、ロック部材３０の先端爪３０ａがストライカー１０の第１作動部１３内から外れて空間部８ａより取り外すことが可能となる。そして、可動体９は、ベース８から取り外したときと同じ状態であれば、取り外したときと逆の操作を行うことにより空間部８ａにセットされる。ところが、以上のユニット本体１は、可動体９がベース８から取り外された状態で、ロック部材４０に接触したときの負荷などにより、ロック部材４０が係合部２５から係止解除され、あるいはロック部材３０が係合部２４から係止解除されることも起きる。図１２はそのような事態（不図示のスライダー４がケース拘束解除位置になったとき）を想定し、不図示の可動体９がベース８にセットされると共に正常な駆動に復帰される点を図解したものである。
【００１７】
図１２（ａ）は可動体９をベース側空間部８ａに挿入するときの状態を模式的に示している。ここで、ユニット本体１は、ロック部材４０が係止解除されているためスライダー４と共に前側にスライド自在であり、ロック部材３０がそのスライドにより同方向へ自在にスライドされる。このため、この構造では、まず、可動体９がベース側空間部８ａに挿入される初期過程で、ロック部材４０の先端爪４０ａが高さ違いによってストライカー１０のガイド部１２の上面に沿ってスライドされると共に、ロック部材３０の先端爪３０ａが舌片部１３ｃに当たって押下される。この結果、ロック部材３０は同図のごとく係合部２４に係止（スライダー３がケース拘束位置）され、かつ、先端爪３０ａが舌片部１３ｃを倒す方向へ弾性変位しながら乗り越える。そして、この構造では、可動体９が更に引き込められると、図１２（ｂ）のごとくロック部材４０（の先端爪４０ａ）が第２作動部１４を薄肉部１４ａを介し下向きに撓ませながら乗り越える。すると、ロック部材４０は、図１２（ｃ）のごとく先端爪４０ａの上角部に第２作動部１４の先端傾斜面１４ｂをクリック音を伴って当接する。ユニット本体１（可動体９）は、その状態から図１２（ｃ）のごとく前方へ引き出されることで、ロック部材４０が相対的に後方へスライドされた状態となり（このときは不図示のばね部材５が付勢力を蓄積する）、最終的に図１２（ｄ）のごとく係合部２５と係止される。この結果、図１と図１０（ｂ）並びに図１１（ｂ）と同じくし正常駆動に復帰される。以上のようにして、この構造では、可動体９を機器類側のベース８から取り外し、しかもロック部材が外部から負荷を受けて外したときの態様と異なっても、常に正常駆動に復帰できるため信頼性を向上できる。
【００１８】
なお、本発明は、上記形態に何ら制約されるものではなく、請求項１で特定された要件以外はこれを参照して適宜に変更可能である。また、本発明装置は、用途的な制約は特になく、例えば、可動体が蓋体であれば、引込位置がベースの所定箇所に配置される閉位置と同じ意味となり、引出位置がベースの所定箇所から離れる開位置と同じ意味となる。また、ダンパー６は、一方向の回転時だけ制動する構成として、ダンパー本体６ａがダンパー収容用窪み部２７に対し形状設定により回転方向を規制するようにして簡略化を図ったが、このタイプ以外であっても差し支えない。また、ばね部材５は、定圧ばね等の他の付勢構造でもよい。勿論、「一対のストライカー」は、作動部材などと表現しても差し支えなく、また、構造としては単一の細長い部材に対しストライカー１０の第１作動部１３（と必要に応じて第２作動部１４）及びストライカー１５の作動部１８をそれぞれ形成した態様も含む。
（実施例）
つぎに、スライド補助装置の用途について説明する。
（前後のスライドタイプの例）
まず、可動体９を前後方向にスライドする前後のスライドタイプの例としては、次のようなものがある。
【００１９】
（１）家具の引出しや引出し式のスライドテーブル
ベース８は、図示しないが、家具の収納部でも良く、このとき、可動体９は収納部に引き出し可能に取り付けられた引出しやスライドテーブルとなる。
（２）システムキッチンの引出しや引出し式のスライドテーブル
家具は、図示しないが、システムキッチンでも良く、このとき、可動体９はシステムキッチンの収納部に引き出し可能に取り付けられた引出しやスライドテーブルとなる。
【００２０】
（３）パソコンデスクの引出し、引出し式のスライドテーブル、キーボードテーブル
家具は、図示しないが、パソコンデスクでも良く、このとき、可動体９はパソコンデスクに引き出し可能に取り付けられた引出し、スライドテーブル、キーボードテーブルとなる。
【００２１】
（４）タンスの引出しや引出し式のスライドテーブル
家具は、図示しないが、タンスでも良く、このとき、可動体９はタンスに引き出し可能に取り付けられた引出しやスライドテーブルとなる。
（５）家電製品の引出し
ベース８は、図示しないが、家電製品の収納部でも良く、このとき、可動体９は収納部に引き出し可能に取り付けられた引出しとなる。
【００２２】
（６）冷蔵庫の引出し
家電製品は、図示しないが、冷蔵庫でも良く、このとき、可動体９は冷蔵庫の引出しとなる。
なお、冷蔵庫は、冷凍庫を含む概念として使用している。
（７）冷蔵庫（冷凍庫も含む。）の中ケースの引出し
可動体９は、図示しないが、冷蔵庫内の中ケースの引出しでもよい。
【００２３】
（８）情報家電（例えばコピー機、ＦＡＸ機、コピー機、複合機）の給紙トレー
家電製品は、図示しないが、例えばコピー機、ＦＡＸ機、コピー機、複合機の情報家電でも良く、このとき、可動体９は給紙トレーとなる。
（９）事務机の引出し
ベース８は、図示しないが、事務机でも良く、このとき、可動体９は事務机の引出しとなる。
【００２４】
（１０）キャビネットの引出し
ベース８は、図示しないが、事務用のキャビネットでも良く、このとき、可動体９はキャビネットの引出しとなる。
（１１）自動車の引出し式の灰皿
ベース８は、図示しないが、車内の灰皿の収納部でも良く、このとき、可動体９は収納部に引き出し可能に取り付けられた引出し式の灰皿となる。
【００２５】
（１２）自動車の引出し式のカップホルダー
ベース８は、図示しないが、車内の灰皿の収納部でも良く、このとき、可動体９は収納部に引き出し可能に取り付けられた引出し式のカップホルダーとなる。
（１３）自動車のコンソールの引出し式のコンソール・リッド
ベース８は、図示しないが、車内の例えばセンターコンソール等のコンソールでも良く、このとき、可動体９はコンソールに引き出し可能に取り付けられた引き出し式のコンソール・リッドとなる。
【００２６】
（１４）レジスターの引出し（ドロアー）
ベース８は、図示しないが、レジスターでも良く、このとき、可動体９はレジスターの引出し（ドロアー）となる。
（１５）その他
（１５−１）家具の引出しや引出し式のスライドテーブル
（１５−２）食器戸棚（カップ・ボード）の引出しや引出し式のスライドテーブル
（１５−３）ライティング・デスク、学習机、事務机、パソコンデスク等の各種のデスクの引出し、引出し式のスライドテーブル、引出し式のキーボードテーブル
（１５−４）冷蔵庫（冷凍庫）の引出し式の給水タンク
（１５−５）冷蔵庫（冷凍庫）の引出し式の製氷器や製氷庫
（図１５〜１６の窓７０）
つぎに、図１５〜１６を用いて、可動体９の一例としての窓７０について説明する。
【００２７】
左右の窓７０は、ベース８である窓枠７１に引き違い可能に支持される。
左右の窓７０には、ユニット本体１をそれぞれ付設する。
すなわち、各窓７０の上下の上面又は底面のいずれか少なくとも一方には、ユニット本体１を固定する。
これに対し、窓枠７１の上下の框には、図示しないが、ユニット本体１のロック部材３０，４０に係合するストライカー１０，１５を固定する。
【００２８】
左右の窓７０を閉じると、その途中でロック部材３０，４０のいずれか一方がストライカー１０，１５のいずれか一方に係合することで、ばね部材４の蓄積されたばね復元力により、左右の窓７０が確実に閉じる。
これに対し、左右の窓７０を開くと、その途中でロック部材３０，４０のいずれか他方がストライカー１０，１５のいずれか他方に係合することで、ばね部材４の蓄積されたばね復元力により、左右の窓７０が確実に開く。
（図１７〜１８の折り戸８０）
つぎに、図１７〜１８を用いて、可動体９の一例としての折り戸８０について説明する。
【００２９】
左右の折り戸８０の左右の両端部は、ベース８であるクロゼット８１に左右方向にスライド可能に支持される。
各折り戸８０は、外側扉８２と中央扉８３の２枚の扉から構成され、外側扉８２と中央扉８３とはヒンジ８４を介してＶ字状に折り畳まれる。
クロゼット８１の上下には、図示しないが、スライドレールが固定され、上下のスライドレールに、外側扉８２と中央扉８３との左右に離れた側の端部が、それぞれスライド可能に支持される。
【００３０】
左右の折り戸８０には、ユニット本体１をそれぞれ付設する。
すなわち、各折り戸８０の上下の上面又は底面のいずれか少なくとも一方には、ユニット本体１を固定する。
これに対し、クロゼット８１の上下の框には、図示しないが、ユニット本体１のロック部材３０，４０に係合するストライカー１０，１５を固定する。
【００３１】
左右の折り戸８０を閉じると、その途中でロック部材３０，４０のいずれか一方がストライカー１０，１５のいずれか一方に係合することで、ばね部材４の蓄積されたばね復元力により、左右の折り戸８０が確実に閉じる。
これに対し、左右の折り戸８０を開くと、その途中でロック部材３０，４０のいずれか他方がストライカー１０，１５のいずれか他方に係合することで、ばね部材４の蓄積されたばね復元力により、左右の折り戸８０が確実に開く。
（図１９のカーテン９０）
つぎに、図１９を用いて、可動体９の一例としてのカーテン９０について説明する。
【００３２】
上框９１には、ベース８であるカーテンレール９２を固定する。
そして、カーテンレール９２には、図示しないが、カーテンランナーを介して、カーテン９０を吊り下げる。
カーテン９０には、ランナーを利用してユニット本体１を付設する。
これに対し、上框には、図示しないが、ユニット本体１のロック部材３０，４０に係合するストライカー１０，１５を固定する。
【００３３】
カーテン９０を閉じると、その途中でロック部材３０，４０のいずれか一方がストライカー１０，１５のいずれか一方に係合することで、ばね部材４の蓄積されたばね復元力により、カーテン９０が確実に閉じる。
これに対し、カーテン９０を開くと、その途中でロック部材３０，４０のいずれか一方がストライカー１０，１５のいずれか他方に係合することで、ばね部材４の蓄積されたばね復元力により、カーテン９０が確実に開く。
（左右のスライドタイプの例）
窓７０、折り戸８０、カーテン９０のように、左右方向にスライドする左右のスライドタイプの例としては、次のようなものがある。
【００３４】
（１）雨戸
可動体９は、図示しないが、建物の雨戸であってもよい。
（２）シャッター
可動体９は、図示しないが、建物のシャッターであってもよい。
（３）引き戸
可動体９は、図示しないが、建物（内外）の引き戸であってもよい。
【００３５】
（４）浴室扉
可動体９は、図示しないが、浴室扉であってもよい。
（５）可動式間仕切り
可動体９は、図示しないが、可動式間仕切りであってもよい。
（６）冷蔵庫の中ケースのスライド扉
可動体９は、図示しないが、冷蔵庫の中ケースのスライド扉であってもよい。
【００３６】
なお、冷蔵庫は、冷凍庫を含む概念として使用している。
（７）ムービングラック
可動体９は、左右にスライドするムービングラックであってもよい。
（８）自動車のスライドドア
可動体９は、図示しないが、自動車のスライドドアであってもよい。
【００３７】
（９）陳列用冷蔵庫のスライド扉
可動体９は、図示しないが、陳列用冷蔵庫のスライド扉であってもよい。
なお、陳列用冷蔵庫は、冷凍庫を含む概念として使用している。
（１０）その他
（１０−１）食器戸棚（カップ・ボード）のスライド式の開閉扉
（１０−２）下駄箱のスライド式の開閉扉
（１０−３）書籍棚のスライド式の開閉扉
（１０−４）電車、汽車、船舶、航空機等の乗り物のスライド式のドア
（上下のスライドタイプの例）
可動体９は、図示しないが、左右方向に限られず、上下方向にスライドさせ、一方のスライド位置を上昇位置とし、他方のスライド位置を下降としてもよい。
【００３８】
上下方向にスライドする上下のスライドタイプの例としては、次のようなものがある。
（１）昇降式のシャッター
可動体９は、図示しないが、建物の昇降式のシャッターでもよい。
（２）昇降式の窓
可動体９は、図示しないが、建物の昇降式の窓でもよい。
【００３９】
（３）昇降式のブラインド
可動体９は、図示しないが、昇降式のブラインドでもよい。
（４）昇降式のムービング・ラック
可動体９は、図示しないが、昇降式のムービング・ラックでもよい。
【図面の簡単な説明】
【００４０】
【図１】本発明形態の作動特徴（付勢力蓄積状態）を模式的に示す図である。
【図２】本発明形態の作動特徴（付勢力解放状態）を模式的に示す図である。
【図３】図１のスライド補助装置の主部材同士の関係を示す構成図である。
【図４】上記スライド補助装置を構成しているケースのベースを示す図である。
【図５】上記ケースのカバーを示す図である。
【図６】上記スライド補助装置を構成している一方のスライダーを示す図である。
【図７】上記スライド補助装置を構成している他方のスライダーを示す図である。
【図８】上記ケースからスライダーの拘束を解放する際の原理を示す模式図である。
【図９】上記スライダーをケースに拘束するときの原理を示す模式図である。
【図１０】上記スライド補助装置の作動（引出操作）を示す模式図である。
【図１１】図１０と同様にスライド補助装置の作動（引き込み操作）を示す図である。
【図１２】可動体をベースに組み付ける際の正常駆動への復帰を示す模式図である。
【図１３】本発明形態の可動体と機器類側ベースの関係を示す参考図である。
【図１４】従来の問題を説明するための参考図である。
【図１５】第２実施例を示し、同図は窓の正面図である。
【図１６】図１５の断面図である。
【図１７】第３実施例を示し、同図は折り戸の断面図である
【図１８】図１７の折り戸を閉じた状態を示す断面図である。
【図１９】第４実施例を示し、同図はカーテンの正面図である。
【符号の説明】
【００４１】
１  ユニット本体
２  ケース（２０はベース、２３は案内リブ、２４，２５は係合部、２７は窪み部）
３  スライダー（３１は長片部、３２は保持部、３７は迂回部としての滑車）
４  スライダー（４１は長片部、４３は保持部）
５  ばね部材（付勢手段）
６  ダンパー（６ａはベース、６ｂはギア）
８  機器類側のベース（８ａは空間部、８ｂは案内レール）
９  可動体
１０  ストライカー（１２はガイド部、１３は第１作動部、１４は第２作動部）
１５  ストライカー（１７はガイド部、１８は作動部）
２２  段差（開口又は長溝）
３０  ロック部材（３０ａは先端爪、３０ｂはベース、３０ｃはスリット）
４０  ロック部材（４０ａは先端爪、４０ｂはベース、４０ｃはスリット）
７０  窓
７１  窓枠
８０  折り戸
８１  クロゼット
８２  外側扉
８３  中央扉
８４  ヒンジ
９０  カーテン
９１  上框
９２  カーテンレール
【図１】
2006026331.tif 000003
【図２】
2006026331.tif 000004
【図３】
2006026331.tif 000005
【図４】
2006026331.tif 000006
【図５】
2006026331.tif 000007
【図６】
2006026331.tif 000008
【図７】
2006026331.tif 000009
【図８】
2006026331.tif 000010
【図９】
2006026331.tif 000011
【図１０】
2006026331.tif 000012
【図１１】
2006026331.tif 000013
【図１２】
2006026331.tif 000014
【図１３】
2006026331.tif 000015
【図１４】
2006026331.tif 000016
【図１５】
2006026331.tif 000017
【図１６】
2006026331.tif 000018
【図１７】
2006026331.tif 000019
【図１８】
2006026331.tif 000020
【図１９】
2006026331.tif 000021